(57)【特許請求の範囲】
【請求項１】
マッサージチェアであって、
体を乗せることができ、背もたれ部と座部とを有し、前記背もたれ部を前記座部の一端に設けていて、かつ前記座部に対して適宜に調節して旋回でき、前記背もたれ部は背もたれ部マッサージ面をさらに有し、前記座部は座部マッサージ面を有する座席本体と、
主フレームであって、
剛性フレームから構成し、前記座席本体に内設していて、かつ前記主フレームの中間部に設ける前進ホルダを有し、
前記背もたれ部に内設していて、かつ前記背もたれ部マッサージ面との間に、マッサージ距離が維持される背中部セクションと、
前記背もたれ部と前記座部に内設され、一端は前記背中部セクションに接続していて、前記背中部セクション側から順に上向きに湾曲する円弧と、下向きに湾曲する円弧と、上向きに湾曲する円弧を連続して有し、前記背中部セクション側から三番目の前記円弧の半径範囲は１１０ｍｍ〜２１０ｍｍであり、前記背もたれ部マッサージ面と前記座部マッサージ面との間にマッサージ距離が維持される臀部セクションと、
前記座部の下方に取り付けられ、一端は前記臀部セクションに接続され、前記臀部セクションの前記上向きに湾曲する円弧に接続する、下向きに湾曲する円弧を有し、該円弧の半径範囲は９０ｍｍ〜２７０ｍｍであり、前記背もたれ部が前記座部に対して適宜調節して旋回し、前記背もたれ部と前記座部との夾角が１１０度より小さいとき、前記大腿部セクションと前記座部マッサージ面との間の距離はマッサージ距離より大きい大腿部セクションと、を含む、主フレームと、
前記主フレームの両側にそれぞれ設けられ、ラック歯車収容面と、前記ラック歯車収容面に固定される誘導用ラック歯車と、前記ラック歯車収容面の一側に設けられるプーリー収容溝と、を含む２つの内側ガイドレールと、
前記主フレーム内に設けられ、歯車とプーリーによって前記誘導用ラック歯車と前記プーリー収容溝に接続され、そのため、前記背中部セクションから前記臀部セクションへ、そして引き続き、前記臀部セクションから前記大腿部セクションに滑り移動することができ、さらに、前記背もたれ部と前記座部を介して体にマッサージを提供され、前記背もたれ部との間の距離と、前記座部マッサージ面との間の距離ともマッサージ距離より小さいマッサージ装置と、
前記座部を載置するために前記主フレームに接続され、前記主フレームの両側に接続される２つの第１旋回中心と、２つの揺動棒と、を有しており、前記揺動棒の一端が前記主フレームに接続され、前記揺動棒の他端が前記第１旋回中心に接続される固定ラック組と、
少なくとも一つのマッサージ駆動装置と、一つの主フレーム旋回装置とを含み、前記マッサージ駆動装置は前記マッサージ装置を駆動してマッサージが提供され、前記主フレーム旋回装置は、前記主フレームの前進ホルダに接続し、前記主フレームを駆動して、前記第１旋回中心を中心として旋回させることによって、前記背もたれ部が前記座部により適宜に調節して旋回する駆動装置と、
を備える、マッサージチェア。
【請求項２】
前記固定ラック組は左サポートフレームと、右サポートフレームと、ベース部とをさらに含み、前記左サポートフレームと、前記右サポートフレームをそれぞれ対向して前記ベース部の両側に取り付けていて、上方に前記座部を支え、前記２つの第１旋回中心はそれぞれ対応して、前記左サポートフレームと前記右サポートフレームに形成し、前記２つの第２回転中心は、それぞれ対応して、前記左サポートフレームと、前記右サポートフレームにて形成することを特徴とする、請求項１記載のマッサージチェア。
【請求項３】
前記座席本体は、前記背もたれ部に対向して前記座部の一端に設けられ、前記２つの第２旋回中心に接続していて、かつ前記座部に対し適宜に調節して旋回される脚部をさらに有することを特徴とする、請求項２記載のマッサージチェア。
【請求項４】
前記駆動装置は、前記座席本体の前記脚部の背面に接続していて、前記脚部を駆動し、前記第２旋回中心を中心として旋回する旋回装置をさらに含むことを特徴とする、請求項３記載のマッサージチェア。
【発明の詳細な説明】
【技術分野】
【０００１】
本発明はマッサージチェアに関し、特に使用者の背中部と臀部にマッサージを提供できるマッサージチェアに関する。
【背景技術】
【０００２】
体の筋肉は運動を通して鍛えることによって、筋肉の耐力と強度が強化され、丈夫な筋肉には良い運動能力を提供できるほか、非常のときに内臓器官または骨に直接的な損傷から保護することができる。筋肉を鍛えるほか、筋肉はマッサージを通じてリラックスさせる必要があり、筋肉をリラックスすることによって、休憩効果を有し、筋肉を休憩させることで、筋肉を使用する場面に対応できる。そのため、スポーツ選手は激しい運動の後にマッサージを受けている。
【０００３】
マッサージは、運動傷害または姿勢を長時間の固定による筋肉硬化を緩解できる。スポーツ選手以外に、一般者も固定した姿勢で仕事する場合がある。姿勢を固定することには筋肉力を必要としないが、しかし、時間を経過すると、筋肉を緊張したままの姿勢では血液の流れが滞り、だるくて痛み、または心地が悪い感じをすることがある。よって、健常者にとって、適切にマッサージすることは必須なことである。
【０００４】
便利にマッサージを提供するため、足裏マッサージ装置、足部マッサージ装置、マッサージチェアなど様々なマッサージ装置が開発されている。そのうち、マッサージチェアの構造がもっとも複雑、しかも難度が一番高いマッサージ装置である。
図１の公知技術のマッサージチェアの概略図を参照する。
公知のマッサージチェアは、少なくとも一つの背もたれ部Ｐ１と、一つの座部Ｐ２とを含み、係る背もたれ部Ｐ１と係る座部Ｐ２にマッサージ装置を内設され、マッサージ装置によって、固定位置にマッサージを提供すると共に、背もたれ部Ｐ１または座部Ｐ２の移動位置にマッサージすることができる。
係る背もたれ部Ｐ１は主に体の背中部をマッサージし、座部Ｐ２は体の臀部または臀部と大腿部の後ろ側をマッサージすることができる。
そのほかに、マッサージチェアは選択により足部マッサージ器Ｐ３を追加するなど、体と足部にマッサージすることができる。
【先行技術文献】
【特許文献】
【０００５】
【特許文献１】中国特許番号ＣＮ１０２６９７６２６号
【特許文献２】中国特許出願２００９１０１１２１８８号
【発明の概要】
【発明が解決しようとする課題】
【０００６】
そのほかに、中国特許番号ＣＮ１０２６９７６２６号（特許文献１）マッサージチェアの背中部構造によれば、エルボーガイドレールと、機械ハンドマッサージコア部とを含み、前記エルボーガイドレールは互いに平行された左右の溝形鋼からなる曲がりレールが複数のバックフレームエルボーを溶接して組み合わせられ、前記機械ハンドマッサージコア部が前記エルボーガイドレールに沿って、頭部、背中部、尾骨から臀部と大腿部にマッサージできる。
前述した中国特許番号ＣＮ１０２６９７６２６号（特許文献１）マッサージチェアの背中部構造は、体の尾骨、臀部及び大腿部に対する揉み、指圧などのマッサージを提供できるものの、エルボーガイドレールの角度は固定しているため、マッサージするときには、体を曲げて、エルボーガイドレールと同じ角度を維持する必要がある。
【０００７】
前述した中国特許番号ＣＮ１０２６９７６２６号（特許文献１）マッサージチェアの背中部構造は、一定のマッサージ効果を提供できるが、体はマッサージの全過程に同じ姿勢を維持することが必要である。
作業の都合で、ある姿勢を長時間に維持必要な使用者はマッサージを受けるとき、さらに同じ姿勢を維持させると、筋肉をほぐすことはできない。
さらに、体が同じ姿勢を長時間に維持することで、受ける力量の不均衡により、ある部位の痛みなど問題を引き起こす。
この点から、前述中国特許番号ＣＮ１０２６９７６２６号（特許文献１）マッサージチェアの背中部構造は、改善すべき点がまだ多くあることが分かる。
【０００８】
体をマッサージしている間に、同じ姿勢を維持することによる心地悪い感を避けるために、もう一種のマッサージチェアが考案されている。
中国特許出願２００９１０１１２１８８号（特許文献２）によれば、ガイドレールラック１３は、ピン１３３と、下部ピン１３４と、を備え、前記ピン１３３を架台のピン穴に接続し、下部ピン１３４は連稈の一端にヒンジ接続する。
これにより、ガイドレールラック１３は旋回接続点を支点として、ひっくり返すことができる。
中国特許出願２００９１０１１２１８８号（特許文献２）の図２と図３によれば、マッサージチェアは２つの姿勢を備えていて、体の姿勢もマッサージチェアの姿勢に従って改変できることから、体が同じ姿勢を維持することによって引き起こす不快感は避けられる。
しかし、マッサージチェアは図２に示す姿勢のときは、背中部のみにマッサージを提供できるため、臀部へのマッサージは提供できない。
さらに、図３の姿勢では、体が横になっていて、マッサージ装置１４が体のどの部位にマッサージできるか不明ではあるが、図２と図３を見た限り、前述中国特許出願２００９１０１１２１８８号（特許文献２）で提供されるマッサージチェアは、前述中国特許番号ＣＮ１０２６９７６２６号（特許文献１）のように、頭部から大腿部にわたるマッサージを提供することはできない。
よって、前述中国特許出願２００９１０１１２１８８号（特許文献２）で提供されるマッサージチェアには、改善すべき点が多く残されていることが分かる。
【０００９】
人それぞれに特性を有しており、そして、体と作業環境も異なれば、マッサージに対する需要もさまざまである。このように、マッサージチェアには多くの発展余地が残されている。考案人は既存のマッサージチェアの進展を分析し、使用者の習慣及び需要の差を突き止めて、研究を努めた結果、本発明のマッサージチェアを考案した次第である。
【課題を解決するための手段】
【００１０】
本発明の主な目的は、大腿部セクションに下向きに湾曲する円弧を設けることによって、背もたれ部と座部との夾角を調整可能に構成され、体を適度に延ばすことができ、完全マッサージ効果を達成できる、マッサージチェアを提供する。
【００１１】
本発明の目的を達成するため、座席本体と、主フレームと、マッサージ装置と、固定ラック組と、駆動装置と、を備えるマッサージチェアが提供される。
座席本体は、体を乗せることができ、背もたれ部と、座部とを有し、背もたれ部は座部の一端に取り付けていて、座部に対して適宜に調節して旋回され、背もたれ部は背もたれ部マッサージ面をさらに有し、座部は座部マッサージ面をさらに有する。
主フレームは、剛性フレームから構成し、座席本体に内設され、前進ホルダを中間部に設けられ、主フレームに備える左右２つのサポーターは、それぞれ内側ガイドレールを有するほかに、背もたれ部の内部に固設していて、かつ背中部マッサージ表面との間にマッサージ距離が維持されている背中部セクションと、背もたれ部と座部に内設され、その一端を背中部セクションに接続していて、上向きに湾曲する円弧を有し、背中部マッサージ表面及び座部マッサージ表面との間にマッサージ距離が維持されている臀部セクションと、座部の下方に取り付けられ、一端は臀部セクションに接続され、臀部セクションに対向して、下向きに湾曲する円弧を有し、背もたれ部と座部との夾角が１１０度より少ないとき、座部マッサージ表面との距離がマッサージ距離より大きい大腿部セクションと、をさらに含み、主フレームの内側ガイドレールに設けられ、背中部セクション、臀部セクション、大腿部セクションへ、大腿部セクションから臀部セクションと背中部セクションに滑り移動するように、背もたれ部と座部とを通じて、体にマッサージを提供される。
マッサージするときに、マッサージ装置と背中部マッサージ表面との距離及び、マッサージ装置と座部マッサージ表面との距離ともマッサージ距離より小さく、固定ラック組は、それぞれ主フレームの両側に対応して設けられ、主フレームに接続していて、２つの第１旋回中心を有し、ベース体を載置しており、主フレームを２つの第１旋回中心に接続され、駆動装置は、マッサージ装置によるマッサージ稼働を用いる少なくとも一つの一つのマッサージ駆動装置と、主フレームの前進ホルダに接続していて、かつ主フレームを駆動することにより、第１旋回中心を中心として旋回させ、背もたれ部を座部に対して、適切に調節した後に旋回する一つの主フレーム旋回装置と、を含む。
【発明の効果】
【００１２】
以下の詳細説明により、本発明の技術手段を詳しく理解できる。本発明は以下の長所にまとめることができる。
【００１３】
イ、背もたれ部と座部との夾角を調整できるため、体を一定の姿勢に維持する必要はなく、適宜に延ばせる。さらに、いかなる姿勢においても、体の肩部から臀部にわたり、マッサージを提供することができる。
【００１４】
ロ、本発明の大腿部セクションに下向きに湾曲する円弧を有している。よって、背もたれ部と座部との夾角が１１０度より大きいときに、体の大腿部にマッサージを提供でき、マッサージプロセスがより完全である。
【図面の簡単な説明】
【００１５】
【図１】公知のマッサージチェアの概略図である。
【図２】本発明のマッサージチェアの側面図（その１）である。
【図３】本発明のマッサージチェア（その２）の側面図である。
【図４】本発明の内側ガイドレール局所の断面図である。
【図５】本発明の固定ラック組の立体図である。
【図６Ａ】本発明のマッサージチェアの脚部の旋回位置及び実施態様の説明図である。
【図６Ｂ】本発明のマッサージチェアの脚部の旋回位置及び実施態様の説明図である。
【図７Ａ】本発明のマッサージチェアの主フレームの旋回位置及び実施態様の説明図である。
【図７Ｂ】本発明のマッサージチェアの主フレームの旋回位置及び実施態様の説明図である。
【図８】本発明のマッサージチェアの立体図である。
【発明を実施するための形態】
【００１６】
本発明のマッサージチェアをより詳しく説明するため、図面と合わせて好ましい実施例を以下のとおり詳細説明する。
【実施例】
【００１７】
図２〜４を参照する。図２は本発明のマッサージチェアの側面図であり、図３は本発明のマッサージチェア主フレームの側面図であり、図４は本発明の内側ガイドレール局所の断面図である。
【００１８】
本発明によるマッサージチェアは、座席本体２と、主フレーム１と、マッサージ装置３と、固定ラック組４と、駆動装置と、を備える。
【００１９】
座席本体２は体を載せることができ、背もたれ部２１と、座部２２とを備える。背もたれ部２１は座部２２の一端に取り付けていて、座部２２に対して適宜に調節された後に旋回できる。背もたれ部２１は背中部マッサージ表面２１１をさらに有し、座部２２は座部マッサージ表面２２１をさらに有する。
【００２０】
主フレーム１は、剛性フレームから構成され、座席本体２に内設していて、主フレーム１の中間部に設ける前進ホルダ１２を有する。
そのほかに、主フレーム１に備える左右２つのサポーターはそれぞれ内側ガイドレール１１を内設すると共に、背もたれ部２１の内部に固設していて、かつ背中部マッサージ表面２１１との間にマッサージ距離を維持する背中部セクション１３と、背もたれ部２１と座部２２の内部に固設していて、かつ一端は背中部セクション１３に接続され、上向きに湾曲する円弧を有し、背もたれ部マッサージ面２１１と、座部マッサージ面２２１との間にマッサージ距離を維持する臀部セクション１４と、座部２２の下方に設けていて、かつ一端は臀部セクション１４に接続し、臀部セクション１４に対して、下向きに湾曲する円弧を有し、當背もたれ部２１と座部２２の夾角が１１０度より小さいとき、座部マッサージ面２２１的との距離はマッサージ距離より大きい大腿部セクション１５と、をさらに含める。
【００２１】
マッサージ装置３は主フレーム１の内側ガイドレール１１に取り付けられ、背中部セクション１３、臀部セクション１４、大腿部セクション１５に滑り移動して、さらに大腿部セクション１５から臀部セクション１４と、背中部セクション１３へと滑り移動され、マッサージ装置３は背もたれ部２１と座部２２を介して体にマッサージを提供される。
マッサージするときに、マッサージ装置３と背もたれ部マッサージ面２１１との間の距離と、マッサージ装置３と座部マッサージ面２２１との間の距離ともマッサージ距離より小さい。
【００２２】
固定ラック組４は、それぞれ対応して主フレーム１の両側に取り付けられ、主フレーム１に接続していて、２つの第１旋回中心４１を有し、座部２２を載置しており、主フレーム１を２つの第１旋回中心４１に接続する。
【００２３】
駆動装置は、少なくとも一つのマッサージ駆動装置５１と、一つの主フレーム旋回装置５２とを含み、マッサージ駆動装置５１によってマッサージ装置３を駆動しマッサージ作業を行い、主フレーム旋回装置５２を座部２２の下方に取り付けていて、主フレーム１の前進ホルダ１２に接続され、主フレーム１を駆動して、第１旋回中心４１を中心にして旋回することにより、背もたれ部２１を座部２２に対して適切に調節され旋回される。
【００２４】
前進ホルダ１２の両端を主フレーム１に備える２つの外側に固定していて、図から明かのように、およそ背中部セクション１３と臀部セクション１４との間に位置されている。
本発明において、臀部セクション１４の上向きに湾曲する円弧は主に体の臀部を収容しており、マッサージ装置３が臀部セクション１４を通過するときに、臀部全体にマッサージできる。
さらに、臀部の大きさに従って、臀部セクション１４の上向きに湾曲する円弧は需要により調節可能である。よって、その半径範囲が１１０ｍｍ〜２１０ｍｍの間にある。
このほか、背中部２１と座部２２との曲がり角度が１１０度より小さいときは、マッサージ装置３が大腿部セクション１５を通過するときに、体にマッサージを提供することはできない。
背もたれ部２１と座部２２との曲がり角度が１１０度より大きくした後に、マッサージ装置３が体にマッサージ提供が再開される。よって、大腿部セクション１５の下向きに湾曲する円弧の半径範囲は９０ｍｍ〜２７０ｍｍが好ましいである。
【００２５】
さらに、本発明において、臀部セクション１４の上向きに湾曲する円弧と大腿部セクション１５の下向きに湾曲する円弧と互いに接続されているが、臀部セクション１４と大腿部セクション１５との間は、適宜に直線部を追加するなど、さまざまな要求に応えることができる。
【００２６】
引き続き、図４を参照する。
内側ガイドレール１１はラック歯車収容面１１１と誘導用ラック歯車１１３とを含み、係る誘導用ラック歯車１１３はラック歯車収容面１１１に固定されている。
マッサージ装置３に備える少なくとも一つの歯車３１が誘導用ラック歯車１１３にて旋回される。
そのほか、内側ガイドレール１１はプーリー収容溝１１２をさらに有する。
プーリー収容溝１１２はラック歯車収容面１１１の一側に接続していて、かつマッサージ装置３の少なくとも一つのプーリー３２を収容される。
そのうち、マッサージ装置３の歯車３１とマッサージ装置３のプーリー３２と同じの旋回軸心を有する。
本発明において、ラック歯車収容面１１１の表面に所定の凹凸形状を有しており、誘導用ラック歯車１１３の背面も同じく所定の凹凸形状を形成されている。
これにより、誘導用ラック歯車１１３は、外力により滑り移動されることなく、ラック歯車収容面１１１の表面にて安定に固定することができる。
誘導用ラック歯車１１３が滑り移動されると、マッサージ装置３の移動量のずれを形成し、マッサージ装置３の左右に動作の差を引き起こして、マッサージ装置３の傾き原因となり、マッサージ装置３に傾きがあると、マッサージ装置３のマッサージ位置がずれるほか、損傷を引き起こすと共に、誘導用ラック歯車１１３の損傷または破損させる恐れがある。
【００２７】
図５に、本発明の固定ラック組の立体図を参照する。図２と５に示すように、固定ラック組４は左サポートフレーム４３と、右サポートフレーム４４と、ベース部４５と、を有する。
左サポートフレーム４３と右サポートフレーム４４はそれぞれベース部４５の両側に設けられ、上方は座部２２を支えるための平板４７を有する。
２つの第１旋回中心４１はそれぞれ左サポートフレーム４３と右サポートフレーム４４に形成され、２つの第２旋回中心４６はそれぞれ対応して、左サポートフレーム４３と右サポートフレーム４４に形成されている。
座席本体２はマッサージ装置を内設し、ベース部２２の一端に位置すると共に、２つの第２旋回中心４６に接続していて、かつベース部２２に対して、適宜に調節して旋回することによって、マッサージを提供される脚部２３をさらに有する。
図から明かのように、脚部２３の後方に、脚部サポーター４８を設けられ、脚部サポーター４８は２つの第２旋回中心４６に設けることによって、脚部２３が第２旋回中心４６を中心として旋回することができる。
【００２８】
引き続き、図２〜５を参照する。
固定ラック組４は２つの揺動棒４２をさらに含み、揺動棒４２の一端をそれぞれ第１旋回中心４１に接続し、他端は主フレーム１に接続する。主フレーム旋回装置５２によって主フレーム１の前進ホルダ１２を押し進み、主フレーム１は第１旋回中心４１を中心として揺動することによって、背もたれ部２１は座部２２に対して適宜に調節し旋回される。本発明において、揺動棒４２は選択により、主フレーム１の臀部セクション１４に接続することができる。
【００２９】
引き続き、図６Ａと６Ｂに、それぞれ本発明の脚部の旋回位置及び実施態様の説明図を参照する。
駆動装置は、座席本体２の脚部２３背面の脚部サポーター４８に接続され、脚部２３を駆動して、第２旋回中心４６を中心として旋回される脚部旋回装置５３をさらに含める。
さらに、図６Ａと６Ｂに示すように、脚部旋回装置５３は電動式押し棒である。実施するときは、選択によりモータまたはその他駆動装置に置き換えることができる。
図６Ａにおいて、脚部旋回装置５３が最短に縮まれ、脚部２３はもっとも低い位置に設定されている。
図６Ｂにおいて、脚部旋回装置５３は脚部サポーター４８を介して脚部２３を押し進み、脚部２３は第２旋回中心４６を中心として旋回して、最も高い位置に達する。
【００３０】
引き続き、図７Ａと７Ｂに、それぞれ本発明のマッサージチェアの主フレームの旋回位置及び実施態様の説明図を参照する。
図に示すように、主フレーム旋回装置５２は電気式押し棒である。実施するときは、選択によりモータまたはその他駆動装置に置き換えることができる。
図７Ａにおいて、主フレーム旋回装置５２によって、主フレーム１を押し進み、このときは、背もたれ部２１と座部２２との夾角はもっとも小さく、かつ１１０度以下である。
よって、マッサージ装置３が大腿部セクション１５に移動されたときに、大腿部セクション１５と座部マッサージ面２２１との距離はマッサージ距離より大きく、体にマッサージを提供することができない。
さらに図７Ｂにおいて、主フレーム旋回装置５２の距離がもっとも短いところに縮み、背もたれ部２１と座部２２との夾角がもっと大きく、１１０度を超えており、よって、マッサージ装置３が大腿部セクション１５に移動されたとき、大腿部セクション１５と座部マッサージ面２２１との距離がマッサージ距離より小さいため、体にマッサージを提供することができる。
【００３１】
引き続き図８に、本発明のマッサージチェアの立体図を参照する。図８に示すように、主フレーム１の姿勢と脚部２３の姿勢も需要により調節可能である。
主フレーム１を水平にしたとき、脚部２３は使用者の好みによって高さを調節できる。
そのほか、本発明は特殊なマッサージプロセスに対応できる。一例として、主フレーム１が第１旋回中心４１を中心として旋回すると共に、脚部２３を同時に旋回させながら、体の姿勢を同期に調整して、より上質なマッサージ効果を提供することができる。
【００３２】
前記した詳細説明は、本発明の好ましい実施例について説明するものである。ただし、該実施例は本発明になんらの制限を加わるものではない。
本発明の技術精神に基づく等効果の応用又は変更は、すべて本発明の特許請求の範囲に含まれる。
【符号の説明】
【００３３】
１      主フレーム
１１    内側ガイドレール
１１１  ラック歯車収容面
１１２  プーリー収容溝
１１３  誘導用ラック歯車
１２    前進ホルダ
１３    背中部セクション
１４    臀部セクション
１５    大腿部セクション
２      座席本体
２１    背もたれ部
２１１  背もたれ部マッサージ面
２２    座部
２２１  座部マッサージ面
２３    足部
３      マッサージ装置
３１    歯車
３２    プーリー
４      固定ラック組
４１    第１旋回中心
４２    揺動棒
４３    左サポートフレーム
４４    右サポートフレーム
４５    ベース部
４６    第２旋回中心
４７    平板
４８    脚部サポーター
５１    マッサージ駆動装置
５２    主フレーム旋回装置
５３    脚部旋回装置
Ｐ１    椅子背もたれ
Ｐ２    座部
Ｐ３    脚部マッサージ装置
【図１】
0006017472.tif 000002
【図２】
0006017472.tif 000003
【図３】
0006017472.tif 000004
【図４】
0006017472.tif 000005
【図５】
0006017472.tif 000006
【図６Ａ】
0006017472.tif 000007
【図６Ｂ】
0006017472.tif 000008
【図７Ａ】
0006017472.tif 000009
【図７Ｂ】
0006017472.tif 000010
【図８】
0006017472.tif 000011